(57)【要約】【課題】手術中にガーゼ体を確認し易くすることによりＸ線撮影を行うことなく、ガーゼ体が体内に取り残されることを防止できる。【解決手段】ガーゼ体１は経糸２を長手方向とするとともに緯糸３を幅方向としてこの経糸２と緯糸３とを交互に交差して平織したものである。ガーゼ体１の経糸２の内の一部分を、複数本の疎水性の経糸４にて構成する。この複数本の疎水性の経糸４は幅方向に連続して配設することによりこの複数本の疎水性の経糸４にて疎水性部分５を形成し、この疎水性部分５はガーゼ体の幅方向に一定の幅を有して長手方向に形成する。【選択図】図１
2008029549.tif 000002
【特許請求の範囲】
【請求項１】
経糸を長手方向とするとともに緯糸を幅方向としてこの経糸と緯糸とを交互に交差して平織したガーゼ体からなる医療用ガーゼであって、
前記ガーゼ体の経糸の内の一部分を、複数本の疎水性の経糸にて構成し、
この複数本の疎水性の経糸は幅方向に連続して配設することによりこの複数本の疎水性の経糸にて疎水性部分を形成し、
この疎水性部分はガーゼ体の幅方向に一定の幅を有して長手方向に形成されている
ことを特徴とする医療用ガーゼ。
【請求項２】
疎水性の経糸は一つの成分にて形成されていることを特徴とする請求項１記載の医療用ガーゼ。
【請求項３】
疎水性の経糸は白色であることを特徴とする請求項１又は２記載の医療用ガーゼ。
【請求項４】
疎水性部分を形成する複数本の疎水性の経糸は、この疎水性の経糸以外の経糸より隣接する経糸の間隔を小さくして配設し、疎水性部分を面状に形成したことを特徴とする請求項１ないし３のいずれかに記載の医療用ガーゼ。
【請求項５】
疎水性部分を形成する複数本の疎水性の経糸は、隣接する疎水性の経糸の間隔を緯糸間の間隔より狭く形成したことを特徴とする請求項１ないし４のいずれかに記載の医療用ガーゼ。
【発明の詳細な説明】
【技術分野】
【０００１】
本発明は、医療用ガーゼに関する。
【背景技術】
【０００２】
従来のこの種の医療用ガーゼとしては、多数の経糸と緯糸とからなるガーゼ構成糸のうちの１本を、例えば硫酸バリウムを含有するシリコン系樹脂からなる色付きのＸ線造影糸に置き換えて織成してガーゼ体を構成したＸ線造影糸を織り込んだ医療用ガーゼが一般的に採用されている。
【０００３】
そして、この従来のＸ線造影糸を織り込んだ医療用ガーゼでは、ガーゼ体の１本のＸ線造影糸と多数の経糸とは略等間隔に織り込まれ、また、緯糸も経糸及びＸ線造影糸と略直交する方向に略等間隔に織り込んだ構成となっている。
【０００４】
この従来のＸ線造影糸を織り込んだ医療用ガーゼの構成では、医療行為中にガーゼ体からＸ線造影糸が抜け落ちることがある問題があった。
【０００５】
そこで、医療用ガーゼの多数の緯糸と、この緯糸と直交する多数の経糸とを構成糸とする前記ガーゼ体の構成糸の内、少なくとも一本をＸ線造影糸とし、このＸ線造影糸に対して略直交方向にかつ略等間隔に該Ｘ線造影糸と交差する構成糸は、１本置きにＸ線造影糸の上面側と下面側とを交差し、かつこのＸ線造影糸と接触し、さらに、前記Ｘ線造影糸に対して略平行方向の構成糸の内、前記Ｘ線造影糸の両側に近接する複数本の構成糸は、互いに接触しかつＸ線造影糸とも接触するように密に織り込まれ、簡単にＸ線造影糸が抜け落ちることのないようにした構成が知られている（特許文献１）。
【特許文献１】特開２００３−３２５５７３号公報
【発明の開示】
【発明が解決しようとする課題】
【０００６】
上記特許文献１に記載の医療用ガーゼでは、ガーゼ体が体内に取り残されているか否かは、手術後、Ｘ線撮影することによってガーゼ体のＸ線造影糸を確認することになるため、Ｘ線撮影にて体内にガーゼ体が残っていたことが確認された場合、再度手術を行い体内のガーゼ体を回収することになるので、患者及び医師双方の負担が大きい。
【０００７】
また、手術後にＸ線撮影でガーゼ体のＸ線造影糸の確認が容易にできるように、硫酸バリウムを含有するシリコン系樹脂から構成された一般的なＸ線造影糸は、経糸または緯糸の綿糸より太く形成されているために硬くなり易く、手術時に患部など体内を損傷するおそれがあった。
【０００８】
さらに、手術中にＸ線造影糸を確認することができるようにするため、Ｘ線造影糸には黒、青、緑などの色に着色されているが、血液が付着したり、血液中に漬かると視認し難くなる問題があった。
【０００９】
また、手術中或いは手術後にガーゼ体のＸ線造影糸の本数を増やすか或いは太くすることが考えられるが、Ｘ線造影糸は綿糸より硬いので、ガーゼ体の柔軟性がなくなるとともに価格が高くなる問題もあった。
【００１０】
本発明は上記問題点に鑑みなされたもので、手術中にガーゼ体を確認し易くすることによりＸ線撮影を行うことなく、ガーゼ体が体内に取り残されることを防止する医療用ガーゼを提供するものである。
【課題を解決するための手段】
【００１１】
本発明の医療用ガーゼは、経糸を長手方向とするとともに緯糸を幅方向としてこの経糸と緯糸とを交互に交差して平織したガーゼ体からなる医療用ガーゼであって、前記ガーゼ体の経糸の内の一部分を、複数本の疎水性の経糸にて構成し、この複数本の疎水性の経糸は幅方向に連続して配設することによりこの複数本の疎水性の経糸にて疎水性部分を形成し、この疎水性部分はガーゼ体の幅方向に一定の幅を有して長手方向に形成されているもので、医療用ガーゼの疎水性部分には血液が付着しない。
【００１２】
また、本発明の医療用ガーゼは、疎水性の経糸は一つの成分にて形成されているもので、従来のＸ線造影糸に比してガーゼ体の疎水性部分は柔軟性を保持している。
【００１３】
さらに、疎水性の経糸は白色であり、疎水性の経糸がガーゼ体の経糸及び緯糸の綿糸と略同一の色となる。
【００１４】
また、本発明の医療用ガーゼは、疎水性部分を形成する複数本の疎水性の経糸は、この疎水性の経糸以外の経糸より隣接する経糸の間隔を小さくして配設し、疎水性部分を面状に形成したもので、医療用ガーゼのガーゼ体の疎水性部分には、疎水性の経糸が密集している。
【００１５】
また、本発明の医療用ガーゼは、ガーゼ体の疎水性部分を形成する複数本の疎水性の経糸は、隣接する疎水性の経糸の間隔を緯糸間の間隔より狭く形成したもので、疎水性経糸と疎水性を有しない緯糸との重なる部分の間の間隔が長くなり、疎水性経糸の露出部分が長くなる。
【発明の効果】
【００１６】
本発明の医療用ガーゼは、ガーゼ体の一定の幅部分の疎水性部分に血液が撥じかれて付着しないので、ガーゼ体に血液が付着したり、ガーゼ体が血液に浸漬されていても、疎水性部分にてガーゼを容易に確認でき、手術に際してガーゼ体を体内に取り残すおそれがない。
【００１７】
また、ガーゼ体は疎水性の経糸は一つの成分のため、従来のＸ線造影糸に比して医療用ガーゼの疎水性部分の柔軟性を保持できるので、ガーゼ体が当たる患部などの部分を損傷することなく、また、疎水性の経糸の製造が容易となり、安価に得られる。
【００１８】
さらに、疎水性の経糸は白色のため、疎水性の経糸がガーゼ体の経糸及び緯糸の綿糸と略同一の色となり、未使用の状態では疎水性の部分が目立たないので違和感がなく、また、ガーゼ体に血液が付着した場合やガーゼ体が血液ら浸漬した状態では、疎水性の部分は白色で目立ち、ガーゼ体を見落とすことがない。
【００１９】
また、疎水性部分を形成する複数本の疎水性の経糸が、この疎水性の経糸以外の経糸より隣接する経糸の間隔を小さくして配設し、疎水性部分を面状に形成することにより、医療用ガーゼの疎水性部分には、疎水性の経糸が密集され、血液を撥じき易くなり、ガーゼ体は疎水性部分に確実に血液が付着することを防止できる。
【００２０】
さらに、ガーゼ体の疎水性部分を形成する複数本の疎水性の経糸は、隣接する疎水性の経糸の間隔を緯糸間の間隔より狭く形成することにより、疎水性経糸と疎水性を有しない緯糸との重なる部分の間の間隔が長くなり、疎水性の経糸の露出部分が長くなるので、疎水性部分における血液の付着防止をより確実にすることができる。
【発明を実施するための最良の形態】
【００２１】
次に本発明を実施するための最良の形態を図１に基いて説明する。
【００２２】
本発明の医療用ガーゼのガーゼ体１は、経糸２を長手方向とするとともに緯糸３を幅方向としてこの経糸２と緯糸３とを交互に交差して平織した構成である。この経糸２及び緯糸３は綿糸などの天然繊維又は合成樹脂繊維など適宜の材料で形成する。
【００２３】
そして、このガーゼ体１は、前記経糸２の内の一部分を、複数本の疎水性の経糸４にて構成する。この疎水性の経糸４は血液などの液体を撥じいて血液などの液体が付着しない非付着特性を有している。
【００２４】
この疎水性の経糸４は、一つの成分、例えば、ＰＥまたはＰＰなどポリエチレン系合成樹脂、ＰＥＴなどポリエステル系合成樹脂など一つの成分で形成する。そして、１つの成分で形成した場合には繊維はモノフィラメントでも、マルチフィラメントでも適用できる。また、この疎水性の経糸４は、一つの成分で形成することにより従来のＸ線造影糸に比してガーゼ体１の疎水性部分５は柔軟性を保持できる。
【００２５】
また、この疎水性の経糸４は白色とし、他のガーゼ体１を構成する経糸２および緯糸３の綿糸と同等の白色が好ましいが、必ずしも一致する必要はなく、略白色であればよい。
【００２６】
この複数本の疎水性の経糸４は幅方向に連続して配設することにより、この複数本の疎水性の経糸４にて疎水性部分５が形成され、この疎水性部分５はガーゼ体１の幅方向に一定の幅を有して長手方向に形成される。そして、疎水性の経糸４は白色であり、疎水性の経糸４がガーゼ体１の経糸２及び緯糸３の綿糸と略同一の色のため、疎水性部分５はガーゼ体１の疎水性部分５以外の部分と略同一色となる。
【００２７】
この疎水性部分５の幅は、血液などの液体に疎水性部分５が接触したとき、血液を撥じいて疎水性部分５が確認できる幅であれば特に限定されるものではなく、手術時に疎水性部分５を確認できる幅は少なくとも１０mm程度は必要であるが、疎水性部分５の幅が大きくなると、ガーゼ体１の血液を吸収する部分が少なくなり、血液などの吸収量が少なくなり過ぎてしまうおそれがあるので、できるだけ疎水性部分５を形成しないガーゼを使用した場合とほとんど変わらない程度の吸収量特性を有し、従来のガーゼと同一の使用枚数にすることができるように、疎水性部分５を設定することが好ましい。
【００２８】
一般に、一回に使用するガーゼの使用状況は、手術にもよるが、使用枚数は１０枚以下の場合が多いとともに、ガーゼは１０枚を一束として数束を使用する場合が多いので、少なくとも疎水性部分５は従来のガーゼ体に比べて血液など液体の吸収量が１０％程度以下より大幅に低下しないように、ガーゼ体１の全面積に比べて疎水性部分５の面積が１０パーセント以下とするすることが好ましい。
【００２９】
この疎水性の経糸４は撥水処理加工を施した綿糸などの天然繊維又は合成樹脂繊維など適宜の材料で形成し、この疎水性の経糸４の太さは、前記ガーゼ体１を構成する綿糸などの経糸２および緯糸と略同等の太さでかつ前記綿糸などの経糸２と略同等の柔軟性を有することが好ましい。
【００３０】
なお、疎水性の経糸４の太さは前記ガーゼ体１の経糸２と略同等の太さと略同等の柔軟性を有する素材が得られないときには、少なくとも、従来一般に用いられているＸ線造影糸よりは細くし、かつ剛性を低くする。例えば、従来一般のＸ線造影糸の剛軟性は５０mm乃至７０mm程度であるので、疎水性の経糸４の剛軟性は５０mmより小さいことが好ましい。そして、綿糸の剛軟性は２０ないし４０mm程度なので、疎水性の経糸２の剛軟性は２０ないし５０mmとし、好ましくは、この疎水性の経糸２の剛軟性を２０ないし４０mmとする。
【００３１】
なお、この疎水性の経糸２の剛軟性の測定方法は、ＪＩＳ規格のＬ  １０９６の４５°カンチレバー法によるものである。そして、この測定方法では、ガーゼ体１の２cm×約１５cmの試験片を縦方向に及び横方向に採取することになっているが、試験片を綿糸１本或いはＸ線造影糸１本を約１５cmの長さとし、試験片をそれぞれ５本を採取して試験をするものである。
【００３２】
また、前記緯糸３は疎水性の経糸４による疎水性部分５に位置する部分を疎水性を有するように、緯糸３を撥水処理加工を施した構成とすることもできる。
【００３３】
また、前記疎水性の経糸４は一つの成分にて形成されているもので、従来のＸ線造影糸に比してガーゼ体の疎水性部分は柔軟性を保持している。
【００３４】
また、ガーゼ体１は縦方向の端部に位置する緯糸３は他の部分より間隔を狭く隣接する緯糸３を密着させた端縁部６を形成し、ガーゼ体１の縦方向の端部の緯糸３がほつれることを防止するようにする。
【００３５】
次に、この実施の形態の作用を説明する。
【００３６】
ガーゼ体１には疎水性の経糸４による疎水性部分５が形成されているので、ガーゼ体１を手術時に体内の患部などに入れた場合、ガーゼ体１の疎水性部分５は血液または体液などの液体を撥き、ガーゼ体１の一定の幅部分の疎水性部分５に血液が付着しないので、ガーゼ体１が血液などに浸かって、ガーゼ体１に血液が付着したりた状態でも疎水性部分５でガーゼ体１の存在を確実に確認できるので、手術に際してガーゼ体１を体内に取り残すなど置き忘れることを防止できる。
【００３７】
また、ガーゼ体１は疎水性の経糸４はポリエチレン系合成樹脂またはポリエステル系合成樹脂などの一つの成分のため、従来のＸ線造影糸に比してガーゼ体１の疎水性部分５の柔軟性を保持でき、ガーゼ体１が当たる患部などの部分を損傷することない。また、疎水性の経糸４はポリエチレン系合成樹脂またはポリエステル系合成樹脂などの一つの成分とすれば、疎水性の経糸４の製造が容易となり、安価に得られる。
【００３８】
さらに、疎水性の経糸４は白色のため、疎水性の経糸４がガーゼ体１の経糸２及び緯糸３の綿糸と略同一の色となり、未使用の状態では疎水性部分５が目立たないので違和感がなく、また、ガーゼ体１に血液が付着した場合やガーゼ体１が血液ら浸漬した状態では、疎水性の部分は白色で目立つので、ガーゼ体１を見落とすことがない。
【００３９】
次に、他の実施の形態を図２に基づいて説明する。
【００４０】
この実施の形態の医療用ガーゼは、図１に示す医療用ガーゼの構成において、疎水性部分５を形成する複数本の疎水性の経糸４は、この疎水性の経糸４以外の経糸２間の間隔より隣接する疎水性の経糸４の間隔を小さくして配設して疎水性部分５を面状に形成し、ガーゼ体１の疎水性部分５には、疎水性の経糸４が密集している。
【００４１】
この疎水性部分５の疎水性の経糸４は隣接する疎水性の経糸４と接触した状態、または接触しなくても隣接する疎水性を有しない経糸２間の寸法より小さく密接した状態であればよい。
【００４２】
そして、ガーゼ体１は疎水性部分５を形成する複数本の疎水性の経糸４間の間隔を小さくすると、疎水性部分５は疎水性部分５以外の部分に比べて硬くなり易いので、疎水性部分５の面部分が硬くならないように、疎水性の経糸４は他の経糸２より細くして柔軟性が保持できるようにすることが好ましい。
【００４３】
なお、この実施の形態の医療用ガーゼの他の構成は、前記図１に示す実施の形態の医療用ガーゼと同一構成である。
【００４４】
この実施の形態の作用を説明する。
【００４５】
疎水性部分５を形成する複数本の疎水性の経糸４間の寸法が、この疎水性の経糸４以外の経糸２間の寸法より間隔を小さく、疎水性部分５が面状に形成されることにより、ガーゼ体１の疎水性部分５には、疎水性の経糸４が密集され、血液をはじき易くなり、ガーゼ体１は疎水性部分５に確実に血液が付着することを防止できる。
【００４６】
この実施の形態の医療用ガーゼの他の作用は図１に示す実施の形態の医療用ガーゼと同一である。
【００４７】
さらに、他の実施の形態を図３および図５に基づいて説明する。
【００４８】
この実施の形態の医療用ガーゼは、ガーゼ体１の疎水性部分５を形成する複数本の疎水性の経糸４は、隣接する疎水性の経糸４の間隔を緯糸３間の間隔より狭く形成したもので、疎水性の経糸４と疎水性を有しない緯糸３との重なる部分の間の間隔が長くなり、疎水性の経糸４の露出部分が長くなる。
【００４９】
この疎水性部分５を形成する複数本の疎水性の経糸４の間隔を緯糸３間の間隔より狭く形成するには、ガーゼ体１の単位面積(cm2)当たりの緯糸３の本数を経糸２の本数より少なくすることによって容易にできる。この場合、ガーゼ体１には、縦方向の端部に位置する緯糸３は他の部分より間隔を狭く隣接する緯糸３を密着させた端縁部６は形成する。
【００５０】
この実施の形態の医療用ガーゼの他の構成は、図１に示す実施の形態の医療用ガーゼの構成と同一である。
【００５１】
次に、この実施の形態の作用を説明する。
【００５２】
ガーゼ体１の疎水性部分５を形成する複数本の疎水性の経糸４は、隣接する疎水性の経糸４の間隔を緯糸３間の間隔より狭く形成されているため、疎水性の経糸４と疎水性を有しない緯糸３との重なる部分の間の間隔が長くなり、疎水性の経糸４の露出部分が長くなるので、疎水性部分５における血液などは確実に撥かれるので血液などの付着を確実に防止することができる。
【００５３】
また、この実施の形態において、この疎水性部分５を形成する複数本の疎水性の経糸４の間隔を緯糸３間の間隔より狭く形成するには、図４に示す構成に代えて、図５に示すように、例えば、経糸２と緯糸３の単位面積あたりの本数を同一として、隣り合う２本の緯糸３を密接に接触するように近接させ、隣り合う２本の緯糸３を１本の緯糸のように形成することにより、密接した２本の緯糸３ごとの間隔は経糸２間と疎水性の経糸４間の間隔より長くなる。
【００５４】
この構成では、緯糸３の本数を減らす必要がないので、ガーゼ体１の血液などの液体の吸収量を、疎水性部分５を形成しないガーゼ体に比べて減少させることがない。
【００５５】
なお、前記各実施の形態では、疎水性部分５を形成する疎水性の経糸４は、一つの成分にて形成した構成について説明したが、ガーゼ体１の柔軟性が確保できれば、一つの成分に限られるものではない。
【００５６】
また、上記各実施の形態に示す医療用ガーゼは、厚生労働省の「医療ガーゼ・医療脱脂綿基準」に基づく「医療ガーゼ」であり、この基準に示すタイプＩからタイプＩＶまでのいずれの形状に限定されるものではなく、また、この基準に基づかない医療用ガーゼにも適用できる。
【図面の簡単な説明】
【００５７】
【図１】本発明の一実施の形態を示す医療用ガーゼの平面図である。
【図２】本発明の他の実施の形態を示す医療用ガーゼの平面図である。
【図３】本発明の他の実施の形態を示す医療用ガーゼの平面図である。
【図４】本発明の他の実施の形態を示す医療用ガーゼの一部の拡大平面図である。
【図５】本発明の他の実施の形態を示す医療用ガーゼの一部の拡大平面図である。
【符号の説明】
【００５８】
１    ガーゼ体
２    経糸
３    緯糸
４    疎水性の経糸
５    疎水性部分
【図１】
2008029549.tif 000003
【図２】
2008029549.tif 000004
【図３】
2008029549.tif 000005
【図４】
2008029549.tif 000006
【図５】
2008029549.tif 000007